(57)【要約】  高屈折率の素材を用いて適切に情報の記録及び／又は再生を行える光ピックアップ装置用の対物光学素子、光ピックアップ装置及び対物光学素子の設計方法を提供するために、開口数ＮＡが下記の（１）式を満たす場合、（２）式の関係が成立し、開口数ＮＡが（３）式を満たす場合、（４）式の関係が成立する対物光学素子とすれば、温度特性を改善しながら、焦点距離と軸上厚及び実際の光ピックアップ装置に搭載する場合に必要なワーキングディスタンスを確保できる。０．８０＜ＮＡ＜０．９０              （１）４００００＜β／γ＜５００００        （２）０．６０＜ＮＡ＜０．７０              （３）８００＜β／γ＜１６００              （４）
2008142959.tif 000002
【特許請求の範囲】
【請求項１】
光源と、前記光源からの光束を光ディスクの情報記録面に集光させる対物光学素子とを有する光ピックアップ装置用の対物光学素子であって、
前記対物光学素子は、前記光源から出射される光束の波長における屈折率ｎが１．６以上であるプラスチック素材から形成され、両面非球面の単玉レンズであり、
開口数ＮＡが（１）式を満たす場合には、（２）式の関係が成立し、開口数ＮＡが（３）式を満たす場合には、（４）式の関係が成立することを特徴とする光ピックアップ装置用の対物光学素子。
０．８０≦ＮＡ≦０．９０              （１）
４００００＜β／γ＜５００００        （２）
０．６０≦ＮＡ≦０．７０              （３）
８００＜β／γ＜１６００              （４）
但し、
β＝ΔＳＡ３Ｔ・（ｄ／ｆ）２
γ＝ｆ・（│ｄｎ／ｄＴ│／ｎ１０・ＮＡ）
ΔＳＡ３Ｔ：基準温度に対して＋３０℃温度上昇したときの前記対物光学素子における３次球面収差の変化量
ｄ：前記対物光学素子の軸上厚
ｆ：前記対物光学素子の焦点距離
ｄｎ／ｄＴ：ローレンツ・ローレンツの式（数１）により決定される値
【数１】
2008142959.tif 000010
但し、
ｎ：前記光源から出射される光束の波長における前記対物光学素子の屈折率
α：前記対物光学素子を形成する前記プラスチック素材の線膨張係数
［Ｒ］：分子屈折
【請求項２】
前記光源から出射される光束の波長は、３８０ｎｍ以上、４２０ｎｍ以下であることを特徴とする請求の範囲第１項に記載の光ピックアップ装置用の対物光学素子。
【請求項３】
前記対物光学素子の開口数ＮＡが、（１）式を満たす場合には（５）式を満たし、（３）式を満たす場合には（６）式を満たすことを特徴とする請求の範囲第１項又は第２項に記載の光ピックアップ装置用の対物光学素子。
０．８＜ｄ／ｆ＜１．５            （５）
０．４５＜ｄ／ｆ＜０．７５        （６）
【請求項４】
前記対物光学素子の倍率をｍとしたときに、前記対物光学素子の開口数ＮＡが、（１）式を満たす場合には（７）式を満たし、（３）式を満たす場合には（８）式を満たすことを特徴とする請求の範囲第１項乃至第３項のいずれかに記載の光ピックアップ装置用の対物光学素子。
０．４５＜（Ｘ１−Ｘ２）・（ｎ−１）／（ＮＡ・ｆ・（１＋｜ｍ｜）１／２）＜０．７０
（７）
０．２８＜（Ｘ１−Ｘ２）・（ｎ−１）／（ＮＡ・ｆ・（１＋｜ｍ｜）１／２）＜０．４２
（８）
但し、
Ｘ１：光軸に垂直で前記対物光学素子の光源側の光学面の頂点に接する平面と、有効径最周辺（ＮＡに対するマージナル光線が入射する光源側の光学面上の位置）における光源側の光学面との光軸方向の差（ｍｍ）であり、前記接平面を基準として光情報記録媒体の方向に測る場合を正、光源の方向に測る場合を負とする。
Ｘ２：光軸に垂直で前記対物光学素子の光情報記録媒体側の光学面の頂点に接する平面と、有効径最周辺（ＮＡに対するマージナル光線が出射する光情報記録媒体側の光学面上の位置）における光情報記録媒体側の光学面との光軸方向の差（ｍｍ）であり、前記接平面を基準として光情報記録媒体の方向に測る場合を正、光源の方向に測る場合を負とする。
【請求項５】
前記対物光学素子を形成する前記プラスチック素材における面内複屈折が２０ｎｍ以下であることを特徴とする請求の範囲第１項乃至第４項のいずれかに記載の光ピックアップ装置用の対物光学素子。
【請求項６】
波長３８０ｎｍ以上、４２０ｎｍ以下の光束を出射する光源と、請求の範囲第１項乃至第５項のいずれかに記載の対物光学素子を用いたことを特徴とする光ピックアップ装置。
【請求項７】
光源と、前記光源からの光束を光ディスクの情報記録面に集光させる対物光学素子とを有する光ピックアップ装置用の対物光学素子の設計方法であって、
開口数ＮＡが（１）式を満たす場合には、（２）式の関係が成立し、開口数ＮＡが（３）式を満たす場合には、（４）式の関係が成立するように設計することを特徴とする対物光学素子の設計方法。
０．８０≦ＮＡ≦０．９０              （１）
４００００＜β／γ＜５００００        （２）
０．６０≦ＮＡ≦０．７０              （３）
８００＜β／γ＜１６００              （４）
但し、
β＝ΔＳＡ３Ｔ・（ｄ／ｆ）２
γ＝ｆ・（│ｄｎ／ｄＴ│／ｎ１０・ＮＡ）
ΔＳＡ３Ｔ：基準温度に対して＋３０℃温度上昇したときの前記対物光学素子における３次球面収差の変化量
ｄ：前記対物光学素子の軸上厚
ｆ：前記対物光学素子の焦点距離
ｄｎ／ｄＴ：ローレンツ・ローレンツの式（数１）により決定される値
【数１】
2008142959.tif 000011
但し、
ｎ：前記光源から出射される光束の波長における前記対物光学素子の屈折率
α：前記対物光学素子を形成する素材の線膨張係数
［Ｒ］：分子屈折
【発明の詳細な説明】
【技術分野】
【０００１】
本発明は、光ピックアップ装置用の対物光学素子、光ピックアップ装置及び対物光学素子の設計方法に関する。
【背景技術】
【０００２】
従来から用いられているＤＶＤやＣＤに加え、波長４００ｎｍ程度の青紫色半導体レーザを用いて、情報の記録及び／又は再生（以下、「記録及び／又は再生」を、「記録／再生」と記載する）を行える高密度光ディスクシステムの研究・開発が急速に進んでいる。一例として、ＮＡ０．８５、光源波長４０５ｎｍの仕様で情報の記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２５ＧＢ程度の情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５ＧＢ程度の情報の記録が可能である。以下、本明細書では、このような光ディスクを「高密度光ディスク」と呼ぶ。【０００３】
これらの光ディスクに対して情報の記録及び／又は再生を行える光ピックアップ装置に用いる対物光学素子は、コスト等を考慮するとプラスチック製であることが望ましい。しかしながら、プラスチック製の対物光学素子を用いた場合の課題として、光ピックアップ装置の小型化、短波長化、高ＮＡ化が進むにつれ、温度変化による球面収差変化が増大するという問題がある。温度変化による球面収差の３次成分の変化量ΔＳＡ３Ｔは、対物光学素子の像側開口数ＮＡ、焦点距離ｆ、結像倍率ｍ、レーザ光源波長λとすると、
（ΔＳＡ３Ｔ／ΔＴ）∝ｆ・（１−ｍ）４・ＮＡ４／λ        （９）
で表される。このような温度変化に対する球面収差劣化の変化量を温度特性という。対物光学素子のＮＡや倍率が大きくなるほど、あるいはレーザ光源の短波長化が進むほど温度特性が劣化する傾向がある。【０００４】
温度特性を改善するために、対物光学素子やその他の光学素子の光学面に回折等の輪帯構造を形成し、温度が変化した際に光源の波長が変化することに起因する回折作用の変化により相殺することで、球面収差量の変化を低減させる技術も提案されている（例えば、特許文献１参照）。しかしながら、輪帯構造は微細な構造であるため、金型の製造誤差や成形誤差等により、設計された回折効率を得られない恐れがあり、そのような場合には、光学面を屈折面のみとして光の利用効率を高めたいという要請がある。
【特許文献１】特開２００１−２８３４５９号公報
【発明の開示】
【発明が解決しようとする課題】
【０００５】
ここで、本出願人は、特願２００６−１４６７４７号において、対物光学素子の素材の温度変化に対する屈折率ｎの変化をｄｎ／ｄＴとし、その開口数をＮＡとしたときに、対物光学素子の温度特性ΔＳＡ３Ｔは以下の式、
ΔＳＡ３Ｔ∝｜ｄｎ／ｄＴ｜／ｎ１０・ＮＡ                  （１０）
を満たすことを見出した。【０００６】
さらに、本出願人は、特願２００６−１４６７４７号において、｜ｄｎ／ｄＴ｜を小さくすることで温度特性を改善することを提案している。ところで、近年、各素材メーカーより、高屈折率を有するプラスチック素材の提案があり、複屈折が小さく、屈折率が１．６１以上のポリカーボネートなども開発されているという新聞報道も行われている。従って、このような高屈折率のプラスチック素材を対物光学素子に使用すれば、（１０）式に示すように、たとえｄｎ／ｄＴが一定でも屈折率ｎを増大させることにより、温度特性ΔＳＡ３Ｔを改善することができることに本発明者は思い当たった。加えて、単に高屈折率の素材を採用するだけでは、光ピックアップ装置に用いる対物光学素子としての機能を十分に発揮できないという問題があることを、本発明者らが見出し、鋭意研究の結果、その問題をも解決する方法を見出した。【０００７】
本発明は、かかる従来技術の問題点に鑑みてなされたものであり、高屈折率の素材を用いて適切に情報の記録及び／又は再生を行える光ピックアップ装置用の対物光学素子、光ピックアップ装置及び対物光学素子の設計方法を提供することを目的とする。
【課題を解決するための手段】
【０００８】
請求の範囲第１項に記載の光ピックアップ装置用の対物光学素子は、光源と、前記光源からの光束を光ディスクの情報記録面に集光させる対物光学素子とを有する光ピックアップ装置用の対物光学素子であって、
前記対物光学素子は、前記光源から出射される光束の波長における屈折率ｎが１．６以上であるプラスチック素材から形成され、両面非球面の単玉レンズであり、
開口数ＮＡが（１）式を満たす場合には、（２）式の関係が成立し、開口数ＮＡが（３）式を満たす場合には、（４）式の関係が成立することを特徴とする光ピックアップ装置用の対物光学素子。
０．８０≦ＮＡ≦０．９０              （１）
４００００＜β／γ＜５００００        （２）
０．６０≦ＮＡ≦０．７０              （３）
８００＜β／γ＜１６００              （４）
但し、
β＝ΔＳＡ３Ｔ・（ｄ／ｆ）２
γ＝ｆ・（│ｄｎ／ｄＴ│／ｎ１０・ＮＡ）
ΔＳＡ３Ｔ：基準温度に対して＋３０℃温度上昇したときの前記対物光学素子における３次球面収差の変化量
ｄ：前記対物光学素子の軸上厚
ｆ：前記対物光学素子の焦点距離
ｄｎ／ｄＴ：ローレンツ・ローレンツの式（数１）により決定される値【０００９】
【数１】
2008142959.tif 000003
【００１０】
但し、
ｎ：前記光源から出射される光束の波長における前記対物光学素子の屈折率
α：前記対物光学素子を形成する前記プラスチック素材の線膨張係数
［Ｒ］：分子屈折
本発明者らは、前記光源から出射される光束の波長における屈折率ｎが１．６以上であるような高屈折率のプラスチック素材を用いて対物光学素子を形成した場合、かかる対物光学素子をコンパクトな光ピックアップ装置に搭載するためには、その開口数と、焦点距離と、軸上厚と、温度特性との間に所定の関係を成立させる必要があることを見出した。より具体的には、開口数ＮＡが（１）式を満たす場合には、（２）式の関係が成立し、開口数ＮＡが（３）式を満たす場合には、（４）式の関係が成立するように対物光学素子を設計することにより、温度特性を改善しながらも、焦点距離と軸上厚とを実際の光ピックアップ装置に搭載する場合に必要なワーキングディスタンスを確保できることを見出した。【００１１】
尚、屈折率の温度変化はローレンツ・ローレンツの式に基づいて、屈折率ｎをＴで微分することにより、［数１］により近似的に求められる。プラスチック素材の場合には、一般に第１項に比べて第２項の寄与が小さいため、第２項はほぼ無視できる。従って、［数１］の１／［Ｒ］・δ［Ｒ］／δＴを、０としてもよい。例えばＰＭＭＡ樹脂の場合、線膨張係数は７×１０−５であり、［数１］に代入すると、−１．２×１０−４となり、実測値とおおむね一致する。尚、ΔＳＡ３Ｔの基準温度は、室温近辺であれば任意の温度としてよいが、基準温度は２５℃とする事が好ましい。【００１２】
請求の範囲第２項に記載の光ピックアップ装置用の対物光学素子は、請求の範囲第１項に記載の発明において、前記光源から出射される光束の波長は、３８０ｎｍ以上、４２０ｎｍ以下であることを特徴とするので、ＢＤやＨＤ等の高密度光ディスクを使用できる光ピックアップ装置に好適である。【００１３】
請求の範囲第３項に記載の光ピックアップ装置用の対物光学素子は、請求の範囲第１項又は第２項に記載の発明において、前記対物光学素子の開口数ＮＡが、（１）式を満たす場合には（５）式（より好ましくは（５’）式）を満たし、（３）式を満たす場合には（６）式を満たすことを特徴とする。
０．８＜ｄ／ｆ＜１．５            （５）
１．０＜ｄ／ｆ＜１．３            （５’）
０．４５＜ｄ／ｆ＜０．７５        （６）
ノートパソコン等に搭載される光ピックアップ装置においては、対物レンズの光軸方向の厚みを極力薄くすることが望まれる。ところが、低屈折率のプラスチック素材を用いた対物光学素子の場合、ｄ／ｆが大きくなる傾向があり、特に高ＮＡ光ディスクの記録／再生を行う薄形の光ピックアップ装置では、十分なワーキングディスタンスを確保することが困難である場合が多い。これに対し、前記光源から出射される光束の波長における屈折率ｎが１．６以上であるような高屈折率のプラスチック素材を用いたときに、（２）式を満たすＢＤ用の対物光学素子では、ｄ／ｆが（５）式（より好ましくは（５’）式）を満たすようにすることができ、或いは（４）式を満たすＨＤ用の対物光学素子では、ｄ／ｆが（６）式を満たすようにすることができ、いずれの場合もｄ／ｆを小さく抑えて、十分なワーキングディスタンスを確保することができることとなる。【００１４】
請求の範囲第４項に記載の光ピックアップ装置用の対物光学素子は、請求の範囲第１項乃至第３項のいずれかに記載の発明において、前記対物光学素子の倍率をｍとしたときに、前記対物光学素子の開口数ＮＡが、（１）式を満たす場合には（７）式を満たし、（３）式を満たす場合には（８）式を満たすことを特徴とする。
０．４５＜（Ｘ１−Ｘ２）・（ｎ−１）／（ＮＡ・ｆ・（１＋｜ｍ｜）１／２）＜０．７０
（７）
０．２８＜（Ｘ１−Ｘ２）・（ｎ−１）／（ＮＡ・ｆ・（１＋｜ｍ｜）１／２）＜０．４２
（８）
但し、
Ｘ１：光軸に垂直で前記対物光学素子の光源側の光学面の頂点に接する平面と、有効径最周辺（ＮＡに対するマージナル光線が入射する光源側の光学面上の位置）における光源側の光学面との光軸方向の差（ｍｍ）であり、前記接平面を基準として光情報記録媒体の方向に測る場合を正、光源の方向に測る場合を負とする。
Ｘ２：光軸に垂直で前記対物光学素子の光情報記録媒体側の光学面の頂点に接する平面と、有効径最周辺（ＮＡに対するマージナル光線が出射する光情報記録媒体側の光学面上の位置）における光情報記録媒体側の光学面との光軸方向の差（ｍｍ）であり、前記接平面を基準として光情報記録媒体の方向に測る場合を正、光源の方向に測る場合を負とする。【００１５】
前記対物光学素子の開口数ＮＡが、（１）式を満たす場合には（７）式を満たし、（３）式を満たす場合には（８）式を満たすようにすれば、球面収差を良好に補正することが可能となる。尚、Ｘ１及びＸ２については、図４を用いて説明する。Ｘ１は、図４に示される様に、光軸に垂直で対物光学素子ＯＢＪの光源側の光学面Ｓ１の頂点ＳＰ１に接する平面Ａと、有効径最周辺における光源側の光学面Ｓ１上の点ＳＭ１との光軸ＯＡ方向の距離をいう。尚、有効径最周辺とは、マージナル光線ＭＲが入射する光源側の光学面Ｓ１上の位置ＳＭ１とも言える。Ｘ２は、図４に示される様に、光軸に垂直で対物光学素子ＯＢＪの光情報記録媒体側の光学面Ｓ２の頂点ＳＰ２に接する平面Ｂと、有効径最周辺における光情報記録媒体側の光学面Ｓ２上の点ＳＭ２との光軸ＯＡ方向の距離をいう。尚、ここでの有効径最周辺とは、マージナル光線ＭＲが出射する光情報記録媒体側の光学面Ｓ２上の位置ＳＭ２とも言える。【００１６】
請求の範囲第５項に記載の光ピックアップ装置用の対物光学素子は、請求の範囲第１項乃至第４項のいずれかの記載の発明において、前記対物光学素子を形成する前記プラスチック素材における面内複屈折が２０ｎｍ以下であることを特徴とする。【００１７】
本発明に適用できる屈折率が高いプラスチック素材の好ましい例としては、ｄ線での屈折率が１．６０７である大阪ガスケミカル株式会社製のＯＫＰ４（フルオレン系ポリエステル）や、ｄ線での屈折率が１．６１４である帝人株式会社製のＳＰ１５１６（ポリカーボネート）などが挙げられる。他に、三菱ガス化学株式会社製のＥＰ−４０００等も好ましいプラスチック素材の一つとして挙げられる。【００１８】
また、本発明に適用できるプラスチック素材において、−５℃から７０℃の温度範囲内での温度変化に伴う波長４０５ｎｍに対する実際の屈折率変化率ｄｎ‘／ｄＴ’（℃−１）の値が−２０×１０−５乃至−５×１０−５（より好ましくは、−１０×１０−５乃至−８×１０−５）の範囲内である場合、本発明の効果をより享受できる。【００１９】
請求の範囲第６項に記載の光ピックアップ装置は、波長３８０ｎｍ以上、４２０ｎｍ以下の光束を出射する光源と、請求の範囲第１項乃至第５項のいずれかに記載の対物光学素子を用いたことを特徴とする。【００２０】
請求の範囲第７項に記載の対物光学素子の設計方法は、光源と、前記光源からの光束を光ディスクの情報記録面に集光させる対物光学素子とを有する光ピックアップ装置用の対物光学素子の設計方法であって、
開口数ＮＡが（１）式を満たす場合には、（２）式の関係が成立し、開口数ＮＡが（３）式を満たす場合には、（４）式の関係が成立するように設計することを特徴とする。
０．８０＜ＮＡ＜０．９０              （１）
４００００＜β／γ＜５００００        （２）
０．６０＜ＮＡ＜０．７０              （３）
８００＜β／γ＜１６００              （４）
但し、
β＝ΔＳＡ３Ｔ・（ｄ／ｆ）２
γ＝ｆ・（│ｄｎ／ｄＴ│／ｎ１０・ＮＡ）
ΔＳＡ３Ｔ：基準温度に対して＋３０℃温度上昇したときの前記対物光学素子における３次球面収差の変化量
ｄ：前記対物光学素子の軸上厚
ｆ：前記対物光学素子の焦点距離
ｄｎ／ｄＴ：ローレンツ・ローレンツの式（数１）により決定される値【００２１】
【数１】
2008142959.tif 000004
【００２２】
但し、
ｎ：前記光源から出射される光束の波長における前記対物光学素子の屈折率
α：前記対物光学素子を形成する素材の線膨張係数
［Ｒ］：分子屈折
本明細書において、対物光学素子とは、光ピックアップ装置において光ディスクに対向する位置に配置され、光源から射出された光束を光ディスクの情報記録面上に集光する機能を有する光学素子を指す。
【発明の効果】
【００２３】
本発明によれば、高屈折率の素材を用いて適切に情報の記録及び／又は再生を行える光ピックアップ装置用の対物光学素子、光ピックアップ装置及び対物光学素子の設計方法を提供することができる。
【図面の簡単な説明】
【００２４】
【図１】光ピックアップ装置ＰＵ１の概略構成を示す図である。
【図２】縦軸にβをとり横軸にγをとって、ＢＤ用の対物光学素子である実施例１〜９をプロットして示す図である。
【図３】縦軸にβをとり横軸にγをとって、ＨＤ用の対物光学素子である実施例１０〜１７をプロットして示す図である。
【図４】対物光学素子の断面図であり、請求項４に関連してＸ１，Ｘ２を説明するための図である。
【符号の説明】
【００２５】
ＣＬ  コリメートレンズ
ＬＤ  半導体レーザ
ＯＢＪ  対物光学素子
ＯＤ  光ディスク
ＰＢＳ  偏光ビームスプリッタ
ＰＤ  検出器
ＰＵ１  光ピックアップ装置
ＱＷＰ  λ／４波長板
【発明を実施するための最良の形態】
【００２６】
以下、本発明の実施の形態を図面に基づいて説明する。尚、本実施の形態にかかる光ピックアップ装置ＰＵ１は、ＢＤ又はＨＤである光ディスクＯＤに対して情報の記録及び／又は再生を行うことが出来、光ディスク装置に組み込むことが可能である。図１は、光ピックアップ装置ＰＵ１の概略構成を示す図である。【００２７】
光ピックアップ装置ＰＵ１は、波長３８０ｎｍ以上、４２０ｎｍ以下（ここでは４０５ｎｍ）のレーザ光束を射出する半導体レーザ（光源）ＬＤと、偏光ビームスプリッタＰＢＳと、コリメートレンズＣＬと、λ／４波長板ＱＷＰと、波長４０５ｎｍの光束における屈折率ｎが１．６以上のプラスチック素材から形成され屈折面のみを有する単玉レンズである対物光学素子ＯＢＪと、光検出器ＰＤとを有している。ここで、ＢＤ使用時のように開口数ＮＡが上記（１）式を満たす場合には、上記（２）式、（５）式、（７）式の関係が成立し、ＨＤ使用時のように開口数ＮＡが（３）式を満たす場合には、上記（４）式、（６）式、（８）式の関係が成立する。【００２８】
光ディスクＯＤに情報の記録及び／又は再生を行う場合、半導体レーザＬＤから射出された発散光束は、偏光ビームスプリッタＰＢＳを透過し、コリメートレンズＣＬにより平行光束とされた後、λ／４波長板ＱＷＰを通過し、対物光学素子ＯＢＪによって光ディスクＯＤの情報記録面上に形成されるスポットとなる。【００２９】
情報記録面上で情報ピットにより変調された反射光束は、再び対物光学素子ＯＢＪ、λ／４波長板ＱＷＰを透過した後、コリメートレンズＣＬにより収斂光束とされ、偏光ビームスプリッタＰＢＳで反射され、検出器ＰＤの受光面上に収束する。これにより、光ディスクＯＤの情報記録面に対して情報の記録及び／又は再生を行える。【００３０】
（実施例）
次に、図１の光ピックアップ装置に好適な実施例について述べる。以下の実施例では、大阪ガスケミカル株式会社から上市されているフルオレン系ポリエステル（製品名ＯＫＰ４）を用いて対物光学素子を形成した。尚、これ以降（表のレンズデータ含む）において、１０のべき乗数（例えば、２．５×１０−３）を、Ｅ（例えば、２．５Ｅ―３）を用いて表すものとする。【００３１】
ＢＤ用の対物光学素子である実施例１〜９について、表１にレンズの特性を示す。図２は、縦軸にβをとり横軸にγをとって、ＢＤ用の対物光学素子である実施例１〜９をプロットして示す図である。図２に示すように、実施例１〜９は、β／γが４００００から５００００の間に存在する。【００３２】
【表１】
2008142959.tif 000005
【００３３】
ＨＤ用の対物光学素子である実施例１０〜１７について、表２にレンズの特性を示す。図３は、縦軸にβをとり横軸にγをとって、ＨＤ用の対物光学素子である実施例１０〜１７をプロットして示す図である。図３に示すように、実施例１０〜１７は、β／γが８００から１６００の間に存在する。【００３４】
【表２】
2008142959.tif 000006
【００３５】
また、表３〜表５に実施例１〜１７のレンズデータを記載する。【００３６】
対物光学素子の光学面は、それぞれ以下の数２式に、表３〜表５に示す係数を代入した数式で規定される、光軸の周りに軸対称な非球面に形成されている。【００３７】
（数２）
ｚ＝（ｙ２／Ｒ）／［１＋√｛１−（κ＋１）（ｙ／Ｒ）２｝］＋Ａ４ｙ４＋Ａ６ｙ６
＋Ａ８ｙ８＋Ａ１０ｙ１０＋Ａ１２ｙ１２＋Ａ１４ｙ１４＋Ａ１６ｙ１６＋Ａ１８ｙ１８＋Ａ２０ｙ２０
但し、
ｚ：非球面形状（非球面の面頂上に接する平面から光軸に沿った方向の距離）
ｙ：光軸からの距離
Ｒ：曲率半径
κ：コーニック係数
Ａ４，Ａ６，Ａ８，Ａ１０，Ａ１２，Ａ１４，Ａ１６，Ａ１８，Ａ２０：非球面係数【００３８】
【表３】
2008142959.tif 000007
【００３９】
【表４】
2008142959.tif 000008
【００４０】
【表５】
2008142959.tif 000009
【図２】
2008142959.tif 000012
【図３】
2008142959.tif 000013
【図４】
2008142959.tif 000014
【図１】
2008142959.tif 000015
【国際調査報告】
2008142959.tif 000016
2008142959.tif 000017
2008142959.tif 000018
2008142959.tif 000019